(57)【要約】【課題】長手方向先端部に課電端子１０１を有し、長手方向基端部に共用操作棒２６０に着脱自在に取り付けられる被取付部１０５を有した事故点探査装置アダプタ１００を腕金２５０に安定的に仮支持させることができる事故点探査装置アダプタ仮支持具を提供する。【解決手段】事故点探査装置アダプタ仮支持具１は、腕金に着脱自在に装着される腕金装着部１０と、腕金装着部の一部を構成するか又は腕金装着部によって支持され、上方から係止された事故点探査装置アダプタを傾斜させた状態にて仮保持するアダプタ保持部３０と、腕金装着部に設けられて共用操作棒に着脱自在に取り付けられる被装着部２０と、を備えた。【選択図】図１
2017077062.tif 000002
【特許請求の範囲】
【請求項１】
長手方向先端部に課電端子を有し、長手方向基端部に共用操作棒に着脱自在に取り付けられる被取付部を有した事故点探査装置アダプタを腕金に仮支持させる事故点探査装置アダプタ仮支持具であって、
前記腕金に着脱自在に装着される腕金装着部と、
前記腕金装着部の一部を構成するか又は前記腕金装着部によって支持され、上方から係止された前記事故点探査装置アダプタを傾斜させた状態にて仮保持するアダプタ保持部と、
前記腕金装着部に設けられて前記共用操作棒に着脱自在に取り付けられる被装着部と、を備えたことを特徴とする事故点探査装置アダプタ仮支持具。
【請求項２】
前記アダプタ保持部の傾斜角度を調整する角度調整機構を備えたことを特徴とする請求項１に記載の事故点探査装置アダプタ仮支持具。
【請求項３】
前記腕金装着部に対して前記アダプタ保持部が着脱自在に構成されていることを特徴とする請求項１又は２に記載の事故点探査装置アダプタ仮支持具。
【請求項４】
前記事故点探査装置アダプタは長手方向中間部に外径方向に突出するフランジ部を備えており、前記アダプタ保持部は、前記フランジ部を係止すると共に前記事故点探査装置アダプタの外面を保持する保持凹所を備えていることを特徴とする請求項１乃至３の何れか一項に記載の事故点探査装置アダプタ仮支持具。
【発明の詳細な説明】
【技術分野】
【０００１】
本発明は事故点探査装置アダプタを腕金に仮支持させる事故点探査装置アダプタ仮支持具に関し、特に、事故点探査装置アダプタを斜めに傾斜させた状態で保持することにより、事故点探査装置アダプタの落下を効果的に防止する事故点探査装置アダプタ仮支持具に関する。
【背景技術】
【０００２】
高圧配電線の電力を低圧に変換する柱上変圧器には、変圧器を保護する開閉式の高圧カットアウトが設置されている。高圧配電線に地絡事故が発生した場合には、高圧カットアウトを利用して事故発生点を特定する事故点探査装置が使用される。
【０００３】
まず、事故点探査装置について図６及び図７に基づいて説明する。図６は、従来の仮支持具、及び仮支持具に保持された事故点探査装置のアダプタを示す斜視図である。図７は、従来の仮支持具、及び仮支持具に保持された事故点探査装置のアダプタの側面図である。
事故点探査装置は、長手方向先端部に高圧カットアウトに電気的に接続可能な課電端子１０１を有した３つの事故点探査装置アダプタ１００（以下、単に「アダプタ１００」と言う。）を備える。各アダプタ１００は交流電力の各相（Ｕ相、Ｖ相、Ｗ相）に対応する。
夫々のアダプタ１００は、長手方向中間部に外径方向に突出するフランジ部１０３（上部フランジ部１０３ａ、下部フランジ部１０３ｂ）が形成された絶縁体からなる中空筒状の本体１０２と、課電端子１０１と電気的に接続すると共に、本体１０２の中空部内を経由して本体１０２の基端部側から外部に引き出されたケーブル１０４と、本体１０２の長手方向基端部に配置されて共用操作棒に対して着脱自在に取り付けられる被取付部１０５とを備えている。なお、被取付部１０５はいわゆるツイストロック金具である。
事故発生点を特定する際には事前準備として、３つのアダプタ１００を仮支持した事故点探査装置アダプタ仮支持具（以下、単に「仮支持具」という）を高圧カットアウト近くの腕金に係止する作業が実施される。
【０００４】
従来一般的に使用されている仮支持具は特許文献１に記載されている。従来の仮支持具について図６及び図７に基づいて説明する。
アダプタ１００を仮支持する仮支持具２００は、腕金２５０に着脱自在に装着される腕金装着部２１０と、アダプタ１００が着脱自在に係止される係止部２２０とを備える。
腕金装着部２１０は、一側面が開口すると共に腕金２５０を保持する空間を内部に有した概略コの字状（角Ｕ字状）の受金具２１１を備える。受金具２１１は、水平方向に伸びる上板２１２と、上板２１２に対向配置された下板２１３と、上下方向に伸びると共に上板２１２と下板２１３とを接続する側板２１４とを備え、側板２１４との対向面に開口部２１５を有している。
更に腕金装着部２１０は、上板２１２と下板２１３との間に配置され、受金具２１１内に保持された腕金２５０の下面２５４を支持する押さえプレート２１６と、下板２１３に貫通形成された軸孔（不図示）に挿通されると共に上端部に固着された押さえプレート２１６を受金具２１１内で上下動させるネジ棒２１７と、ネジ棒２１７に螺着すると共に下板２１３に固着されたナット２１８と、ネジ棒２１７の下端に配置されて共用操作棒（不図示）に着脱自在に装着される被装着部２１９とを備える。なお、被装着部２１９はいわゆるツイストロック金具である。
係止部２２０は、受金具２１１の側板２１４の外側面の上部から上板２１２に対して離反する方向に伸びると共に、３つのアダプタ１００の本体１０２部分を夫々受け入れる３つの保持凹所２２２を有した水平方向に伸びる保持板２２１と、保持板２２１の下方に配置されて、本体１０２を受け入れる凹所を有したＣ字状の３つの保持金具２２３とを有する。保持板２２１はアダプタ１００の上部フランジ部１０３ａの下面を支持し、保持金具２２３は下部フランジ部１０３ｂの下面を支持する。
アダプタ１００を高圧カットアウト周辺の腕金によって仮支持させるには、まず、仮支持具２００の被取付部２１９に共用操作棒を装着し、保持板２２１の保持凹所２２２内と保持金具２２３内にアダプタ１００の本体１０２を挿入して、保持板２２１によって上部フランジ部１０３ａを、保持金具２２３によって下部フランジ部１０３ｂを支持する。この状態で共用操作棒を操作して仮支持具２００を持ち上げて受金具２１１内に腕金を挿入する。最後に、共用操作棒をネジ棒２１７周りに回転させて押さえプレート２１６を上昇させることにより腕金２５０を上板２１２と押さえプレート２１６との間で挟圧保持する。
【先行技術文献】
【特許文献】
【０００５】
【特許文献１】特許第４５４０５４２号
【発明の概要】
【発明が解決しようとする課題】
【０００６】
ここで、保持凹所２２２と保持金具２２３は腕金装着部２１０との非対向部位に開口を有するため、仮支持具２００を腕金に係止する際に仮支持具２００が係止部２２０側に傾斜すると、アダプタ１００が保持凹所２２２と保持金具２２３から離脱して落下するという問題がある。
本発明は上述の事情に鑑みてなされたものであり、事故点探査装置アダプタを腕金に安定的に仮支持させることができる事故点探査装置アダプタ仮支持具を提供することを目的とする。
【課題を解決するための手段】
【０００７】
上記の課題を解決するために、請求項１に記載の発明は、長手方向先端部に課電端子を有し、長手方向基端部に共用操作棒に着脱自在に取り付けられる被取付部を有した事故点探査装置アダプタを腕金に仮支持させる事故点探査装置アダプタ仮支持具であって、前記腕金に着脱自在に装着される腕金装着部と、前記腕金装着部の一部を構成するか又は前記腕金装着部によって支持され、上方から係止された前記事故点探査装置アダプタを傾斜させた状態にて仮保持するアダプタ保持部と、前記腕金装着部に設けられて前記共用操作棒に着脱自在に取り付けられる被装着部と、を備えたことを特徴とする。
請求項２に記載の発明は、前記アダプタ保持部の傾斜角度を調整する角度調整機構を備えたことを特徴とする。
請求項３に記載の発明は、前記腕金装着部に対して前記アダプタ保持部が着脱自在に構成されていることを特徴とする。
請求項４に記載の発明は、前記事故点探査装置アダプタは長手方向中間部に外径方向に突出するフランジ部を備えており、前記アダプタ保持部は、前記フランジ部を係止すると共に前記事故点探査装置アダプタの外面を保持する保持凹所を備えていることを特徴とする。
【発明の効果】
【０００８】
本発明によれば、事故点探査装置アダプタを傾斜させた状態にて仮保持するので、事故点探査装置アダプタを腕金に安定的に仮支持させることができる。
【図面の簡単な説明】
【０００９】
【図１】本発明の第一の実施形態に係る仮支持具の斜視図である。
【図２】本発明の第一の実施形態に係る仮支持具の使用状態を示す斜視図である。
【図３】本発明の第二の実施形態に係る仮支持具の斜視図であり、（ａ）は側面方向から観察した図であり、（ｂ）は背面方向から観察した図である。
【図４】本発明の第三の実施形態に係る仮支持具について説明するための図であり、（ａ）は正面側から観察した斜視図であり、（ｂ）はアダプタ保持部を背面側から観察した斜視図であり、（ｃ）は角度調整機構の拡大図である。
【図５】本発明の第三の実施形態に係る仮支持具の斜視図である。
【図６】従来の仮支持具、及び仮支持具に保持された事故点探査装置のアダプタを示す斜視図である。
【図７】従来の仮支持具、及び仮支持具に保持された事故点探査装置のアダプタの側面図である。
【発明を実施するための形態】
【００１０】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
〔第一の実施形態〕
本発明の第一の実施形態に係る仮支持具について図１及び図２に基づいて説明する。図１は、本発明の第一の実施形態に係る仮支持具の斜視図である。図２は、本発明の第一の実施形態に係る仮支持具の使用状態を示す斜視図である。本実施形態に係る仮支持具は、斜めに傾斜した保持部の上面によって事故点探査装置アダプタを保持する点に特徴がある。以下、アダプタが保持される側を正面側、腕金側を背面側、腕金の長手方向に沿った方向を幅方向として説明する。
【００１１】
事故点探査装置アダプタ仮支持具１（以下、単に「仮支持具」という）は、事故点探査装置アダプタ１００（以下、単に「アダプタ」という）を腕金２５０に仮支持させる治具である。仮支持具１は、腕金２５０に着脱自在に装着される腕金装着部１０と、腕金装着部１０の一部を構成すると共に上方から係止されたアダプタ１００を傾斜させた状態にて仮保持するアダプタ保持部３０と、腕金装着部１０に設けられて共用操作棒２６０に着脱自在に取り付けられる被装着部２０と、を備えている。
【００１２】
＜腕金装着部＞
腕金装着部１０は、側面視概略逆Ｊ字形状の金具であり、腕金２５０の上方から腕金に係止される。
腕金装着部１０は、上下方向に伸びると共に対向配置された第一側板１１及び第二側板１３と、第一側板１１と第二側板１３の夫々の上端縁に一端縁を夫々固定されると共に他端縁同士を互いに固定されることにより、鉛直方向に対して斜めに傾斜した第一傾斜板１５及び第二傾斜板１７とを有する。
腕金装着部１０を腕金２５０に装着した時に、第一側板１１及び第二側板１３は腕金２５０の上下方向に伸びる側面２５１、２５２に夫々添設される。第一側板１１と第二側板１３との間隔は腕金２５０の幅と略同等かそれよりもやや広く設定されており、腕金装着部１０を腕金２５０に装着した時の仮支持具１のガタツキを防止する。第一側板１１及び第二側板１３は、夫々側面２５１、２５２よりも上下方向長が長く設定されており、腕金装着部１０の腕金２５０からの脱落を効果的に防止する。第一側板１１は第二側板１３よりも上下方向長が長くなるように設定されており、第一側板１１の下端部には共用操作棒２６０に着脱自在に取り付けられる被装着部２０が配置されている。
腕金装着部１０を腕金２５０に装着した時に第一傾斜板１５及び第二傾斜板１７は、腕金２５０の水平方向に伸びる上面２５３の上方に配置される。
【００１３】
＜被装着部＞
被装着部２０は、共用操作棒２６０の先端に設けられた装着部２６１に対していわゆるツイストロック機構により着脱自在、且つ相対回転不能に装着される部位である。被装着部２０も装着部２６１も、一般的なツイストロック金具と同様にアルミニウム合金から形成される。
共用操作棒２６０の装着部２６１は、円柱状の軸部材２６２と、軸部材２６２の側面から外径方向に突設された係止ピン２６３と、軸部材２６２の先端面から自在に出没すると共に、軸部材の内部に設けた不図示のバネによって突出方向に弾性付勢されたプッシュピン２６４とを備えている。
被装着部２０は、基端面が開口し、軸方向他端面が閉止した円筒形状であり、基端開口２０ａから装着部２６１の軸部材２６２を不図示の中空部内に受け入れて保持する。
被装着部２０の側面には、基端縁から概略Ｔ字形状の切欠部２１が形成されている。切欠部２１は、被装着部２０の内外を連通させる。切欠部２１は、被装着部２０の基端縁から軸方向に伸びる軸方向切欠部２２と、軸方向切欠部２２の最奥部から周方向に伸びる周方向切欠部２３と、周方向切欠部２３の最奥部から基端側に向かって軸方向に伸びる係止凹部２４とを備える。係止凹部２４には、共用操作棒２６０の装着部２６１の係止ピン２６３が係止される。
共用操作棒２６０の軸部材２６２を被装着部２０の中空部内に挿入すると共に、係止ピン２６３を被装着部２０の基端縁から軸方向切欠部２２内に挿入する。被装着部２０に対して共用操作棒２６０を押し付けてプッシュピン２６４を軸部材２６２内に没入させた状態で共用操作棒２６０を右方向（又は左方向）に回動させて、係止ピン２６３を周方向切欠部２３の最奥部まで移動させる。周方向切欠部２３の最奥部においてはプッシュピン２６４が中空部内の軸方向他端面を押圧して、係止ピン２６３が係止凹部２４内に係止される。これにより、被装着部２０は共用操作棒２６０の装着部２６１に相対回転不能に装着される。
【００１４】
＜アダプタ保持部＞
アダプタ保持部３０は、アダプタ１００を保持する上面（保持面３１）を有する第一傾斜板１５と、第一傾斜板１５の保持面３１に配置されると共にアダプタ１００の側面を保持する保持凹所３５を有したＣ字状の保持金具３３を備える。腕金装着部１０を構成する２つの傾斜板のうち一端縁を第一側板１１に固定された第一傾斜板１５はアダプタ保持部３０を構成し、その上面（保持面３１）にてアダプタ１００を斜めに傾斜させた状態にて保持する。
保持金具３３の開口部３７は上方に開口している。また、開口部３７の開口幅は、アダプタ１００の本体１０２の直径よりも大きく、開口部３７からアダプタ１００を保持凹所３５内に受け入れて係止する。
１つのアダプタ１００は、第一傾斜板１５の他端縁側（上部側）に配置された上部金具３３ａと、第一傾斜板１５の一端縁側（下部側）に配置された下部金具３３ｂとによって構成される２つの保持金具によって保持される。上部金具３３ａはアダプタ１００の上部フランジ部１０３ａを係止し、下部金具３３ｂはアダプタ１００の下部フランジ部１０３ｂを係止する。
【００１５】
＜使用方法＞
使用方法について説明する。まず、仮支持具１の被装着部２０に共用操作棒２６０の装着部２６１を取り付けて、両者を一体化する。次に、アダプタ保持部３０にアダプタ１００を仮保持させる。即ち、保持金具３３の保持凹所３５内に本体１０２を挿入し、夫々の保持金具３３の上面にて、アダプタ１００のフランジ部１０３を係止する。アダプタ１００の仮保持には特別な操作を必要とせず、着脱操作が容易である。
続いて、共用操作棒２６０を操作して、アダプタ１００及び仮支持具１を腕金２５０に掛止する。このとき、仮支持具１を腕金２５０よりも上方に持ち上げて、第一側板１１と第二側板１３との間に腕金２５０が入るように仮支持具１を矢印Ａ方向に降下させるだけで、仮支持具１が腕金２５０によって仮支持される。
仮支持具１の保持面３１は斜めに傾斜しているので、仮支持具１を図１中矢印Ｂ方向に傾斜させたとしても、アダプタ１００はアダプタ保持部３０から脱落しにくい。
【００１６】
＜効果＞
以上のように本実施形態によれば、仮支持具１は保持面３１においてアダプタ１００を斜めに傾斜させた状態にて保持するので、作業中にアダプタ１００が落下しにくくなる。また、腕金装着部１０は、概略逆Ｊ字形状であり、腕金２５０に対して上方から係止するだけでアダプタ１００を保持した仮支持具１を腕金２５０に装着できるので、作業時間の短縮を図れる。なお、第一側板１１と第二側板１３との間隔は、規格化された腕金２５０のサイズに合わせて形成されているので、係止時に特に間隔を調整する必要はない。
【００１７】
〔第二の実施形態〕
本発明の第二の実施形態に係る事故点探査装置アダプタ仮支持具について図３に基づいて説明する。図３は、本発明の第二の実施形態に係る仮支持具の斜視図であり、（ａ）は側面方向から観察した図であり、（ｂ）は背面方向から観察した図である。本実施形態に係る事故点探査装置アダプタ仮支持具は、アダプタ保持部の傾斜角度を調整可能に構成した点に特徴がある。以下、第一の実施形態と同一の部材には同一の符号を付してその説明を省略する。
【００１８】
仮支持具２は、腕金装着部１０と、被装着部２０と、腕金装着部１０によって支持されたアダプタ保持部３０と、アダプタ保持部３０の傾斜角度を調整する角度調整機構４０とを備えている。
腕金装着部１０は、第一側板１１及び第二側板１３と、第一側板１１と第二側板１３の夫々の上端縁に各端縁を固定された上板１４を備える。上板１４は略水平に配置されており、腕金装着部１０を腕金２５０に装着した時に、上板１４は腕金２５０の上面２５３上に載置される。
アダプタ保持部３０は、保持面３１を有する傾斜板３２と、保持面３１に配置された保持金具３３とを有する。
【００１９】
＜角度調整機構＞
角度調整機構４０は、アダプタ保持部３０を構成する傾斜板３２の一端部３２ａ（下端部）を上板１４の第一側板１１側適所において上下方向に回動（揺動）自在に軸支する軸支部４１と、一端部４３ａが傾斜板３２の他端部３２ｂ（上端部）によって回動自在に軸支持されたスタンド４３と、上板１４上に配置されてスタンド４３の他端部４３ｂが係止される複数の係止具４５とを備えている。
係止具４５は、上板１４の第一側板１１側から第二側板１３側にかけて複数個が配置されており、上板１４表面におけるスタンド４３の他端部４３ｂの係止位置を決定する。即ち、スタンド４３の他端部４３ｂを係止する係止具４５を変更することによって、傾斜板３２の上板１４（水平面）に対する傾斜角度（仰角）を段階的に可変させる。
本実施形態における仮支持具２の使用方法は第一の実施形態と同様であるため、その説明を省略する。
【００２０】
＜効果＞
図６及び図７に示す従来の仮支持具２００においては、第一側板１１に対応する側板２１４（図７参照）の側方において、アダプタ１００を上下方向に起立した状態にて保持していた。このため、アダプタ１００の腕金２５０の上面２５３よりも上方に突出するアダプタ１００の突出量がある程度低く抑えられていた。
図１及び図２に示す第一の実施形態に係る仮支持具１においては、腕金２５０の上方においてアダプタ１００を保持するため、従来の仮支持具２００に比べて腕金２５０上方へのアダプタの突出量が大きくなる。しかし、本実施形態においてはアダプタ保持部３０の傾斜角度を調整可能に構成したので、作業対象箇所周辺のスペースに応じて腕金２５０上方へのアダプタ１００の突出量を調整することができる。
【００２１】
〔第三の実施形態〕
本発明の第三の実施形態に係る事故点探査装置アダプタ仮支持具について図４及び図５に基づいて説明する。図４は、本発明の第三の実施形態に係る仮支持具について説明するための図であり、（ａ）は正面側から観察した斜視図であり、（ｂ）はアダプタ保持部を背面側から観察した斜視図であり、（ｃ）は角度調整機構の拡大図である。図５は、本発明の第三の実施形態に係る仮支持具の斜視図である。以下、既に説明した部材と同一の部材には同一の符号を付してその説明を省略する。
本実施形態に係る事故点探査装置アダプタ仮支持具は、腕金装着部に対してアダプタ保持部を着脱自在に構成した点に特徴がある。以下、アダプタが保持される側を正面側、腕金側を背面側、腕金の長手方向に沿った方向を幅方向として説明する。
【００２２】
仮支持具３は、腕金２５０に着脱自在に装着される腕金装着部材５０と、腕金装着部材５０によって着脱自在に支持されたアダプタ保持部材６０とを備えている。
【００２３】
腕金装着部材５０は、腕金２５０に着脱自在に装着される腕金装着部５１と、アダプタ保持部材６０が着脱自在に係止される係止部５３を有する。本例において腕金装着部材５０は、図６及び図７に示した従来の仮支持具２００から構成されている。即ち、本実施形態において従来の仮支持具２００は、それ全体として腕金装着部材として機能し、アダプタ保持部材６０を係止部５３（係止部２２０）において支持する。以下、腕金装着部材５０についての細部についての説明は従来の仮支持具２００と同様であるため省略する。
【００２４】
アダプタ保持部材６０は、上方から係止されたアダプタ１００を傾斜させた状態にて仮保持するアダプタ保持部３０と、アダプタ保持部３０の幅方向各端部に配置されると共に腕金装着部材５０に着脱自在に係止される被係止部７０と、被係止部７０に対するアダプタ保持部３０の傾斜角度を調整する角度調整機構８０と、を備えている。アダプタ保持部３０は、上方から係止されたアダプタ１００を傾斜させた状態にて仮保持する保持面３１を形成する傾斜板３２と、保持面３１に配置された複数の保持金具３３とを備えており、基本的な構成は、第二の実施形態に示したアダプタ保持部３０と同様である（図３参照）。
【００２５】
被係止部７０は、腕金装着部材５０の幅方向各端部に配置された保持凹所２２２と保持金具２２３内に夫々挿入される棒状の支柱部材７１と、支柱部材７１の上端部７１ａから、背面側（腕金２５０側）に突出して下方に垂下する逆Ｌ字形状のフック部７３を備える。
支柱部材７１の下端部７１ｂは外径が漸減する先細り形状であり、腕金装着部材５０の保持凹所２２２と保持金具２２３内への上方からの挿入を容易にする。
【００２６】
被係止部７０は、角度調整機構８０を介してアダプタ保持部３０を支持する。
【００２７】
角度調整機構８０は、傾斜板３２の他端部３２ｂ（上端部）に位置する幅方向各端面に形成された第一菊座部８１及び第一菊座部８１の中心部に開口されたネジ穴８２と、第一菊座部８１と対向する支柱部材７１の上端部７１ａに形成されると共に第一菊座部８１と所定角度毎に噛合する第二菊座部８３及び第二菊座部８３の中心部に貫通形成された軸穴８４と、軸穴８４とネジ穴８２とを連通させた状態にて軸穴８４からネジ穴８２内に向けて挿入されると共に、ネジ穴８２内の雌ネジと螺着する雄ネジを備えたネジ部材８５とを備える。
傾斜板３２は、支柱部材７１によって角度調整機構８０を介して上下方向に回動可能に支持されている。ネジ部材８５を緩めることによって、傾斜板３２は上下方向に自在に回動し、ネジ部材８５を締結することによって、第一及び第二菊座部８１、８３が噛合して傾斜板３２の回動が阻止される。このように、傾斜板３２は、支柱部材７１に対して所定の角度ごとに傾斜角度を調整可能に構成されている。
【００２８】
＜使用方法＞
仮支持具３の使用方法について説明する。腕金装着部材５０の幅方向端部に配置された保持凹所２２２と保持金具２２３内にアダプタ保持部材６０の２つの支柱部材７１を夫々挿入する。また、フック部７３を腕金装着部５１の側板２１４に上方から係止する。
ここで、図６に示すように、腕金装着部材５０（仮支持具２００）の側板２１４及び保持板２２１の幅方向長は上板２１２の同方向における長さよりも長く設定されている。保持板２２１の幅方向中間部に上板２１２が配置されている。フック部７３は、上板２１２を回避した部位において側板２１４に係止される。
続いて、角度調整機構８０のネジ部材８５を非締結方向に回転させて、支柱部材７１に対する傾斜板３２の角度を適宜調整した後、ネジ部材８５を締結して傾斜板３２の傾斜角度を固定する。
続いて、腕金装着部材５０の被装着部２１９に共用操作棒２６０の装着部２６１（図１参照）を取り付けて、仮支持具３と共用操作棒２６０とを一体化する。次に、アダプタ保持部３０にアダプタ１００を仮保持させる。即ち、傾斜板３２の保持凹所３５内に本体１０２を挿入し、夫々の保持金具３３の上面にて、アダプタ１００のフランジ部を係止する。
この状態で共用操作棒２６０を操作して仮支持具３を持ち上げて受金具２１１内に腕金２５０を挿入する。最後に、共用操作棒をネジ棒２１７周りに回転させて押さえプレート２１６を上昇させることにより腕金２５０を上板２１２と押さえプレート２１６との間で挟圧保持する。この作業により、フック部７３は、側板２１４と腕金２５０の側面２５１との間に配置される。
【００２９】
＜効果＞
以上のように本実施形態によれば、腕金装着部材５０に対してアダプタ保持部材６０を着脱自在に構成したので、運搬時や保管時にコンパクト化することができる。また、特に本実施形態においては、従来の仮支持具２００に対してアダプタ保持部材６０を着脱可能に構成したので、従来の仮支持具を活用して、アダプタ１００を斜めに傾斜させて保持することができる。
【００３０】
〔本発明の実施態様例と作用、効果のまとめ〕
＜第一の実施態様＞
本態様は、長手方向先端部に課電端子１０１を有し、長手方向基端部に共用操作棒２６０に着脱自在に取り付けられる被取付部１０５を有した事故点探査装置アダプタ１００を腕金２５０に仮支持させる事故点探査装置アダプタ仮支持具１であって、腕金に着脱自在に装着される腕金装着部１０と、腕金装着部の一部を構成するか又は腕金装着部によって支持され、上方から係止された事故点探査装置アダプタを傾斜させた状態にて仮保持するアダプタ保持部３０と、腕金装着部に設けられて共用操作棒に着脱自在に取り付けられる被装着部２０と、を備えたことを特徴とする。
本態様によれば、事故点探査装置アダプタ仮支持具は、アダプタ保持部によって事故点探査装置アダプタを斜めに傾斜させた状態にて仮保持するので、事故点探査装置アダプタを安定的に仮支持でき、作業中に事故点探査装置アダプタが落下しにくくなる。
【００３１】
＜第二の実施態様＞
本態様に係る事故点探査装置アダプタ仮支持具２は、アダプタ保持部３０の傾斜角度を調整する角度調整機構４０を備えたことを特徴とする。
本態様によれば、アダプタ保持部の傾斜角度を調整することができるので、作業対象箇所周辺のスペースに応じて、事故点探査装置アダプタの保持角度及び上方への突出量を調整することができる。
【００３２】
＜第三の実施態様＞
本態様に係る事故点探査装置アダプタ仮支持具３は、腕金装着部５１に対してアダプタ保持部３０が着脱自在に構成されていることを特徴とする。
本態様によれば、運搬時や保管時にコンパクト化することができる。
【００３３】
＜第四の実施態様＞
本態様において事故点探査装置アダプタ１００は長手方向中間部に外径方向に突出するフランジ部１０３を備えており、アダプタ保持部３０は、フランジ部を係止すると共にアダプタの外面を保持する保持凹所３５を備えていることを特徴とする。
本態様によれば、フランジ部を利用して事故点探査装置アダプタを保持する。
【符号の説明】
【００３４】
１、２、３…事故点探査装置アダプタ仮支持具、１０…腕金装着部、１１…第一側板、１３…第二側板、１４…上板、１５…第一傾斜板、１７…第二傾斜板、２０…被装着部、２０ａ…基端開口、２１…切欠部、２２…軸方向切欠部、２３…周方向切欠部、２４…係止凹部、３０…アダプタ保持部、３１…保持面、３２…傾斜板、３２ａ…一端部、３２ｂ…他端部、３３…保持金具、３３ａ…上部金具、３３ｂ…下部金具、３５…保持凹所、３７…開口部、４０…角度調整機構、４１…軸支部、４３…スタンド、４３ａ…一端部、４３ｂ…他端部、４５…係止具、５０…腕金装着部材、５１…腕金装着部、５３…係止部、６０…アダプタ保持部材、７０…被係止部、７１…支柱部材、７１ａ…上端部、７１ｂ…下端部、７３…フック部、８０…角度調整機構、８１…第一菊座部、８２…ネジ穴、８３…第二菊座部、８４…軸穴、８５…ネジ部材、１００…事故点探査装置アダプタ、１０１…課電端子、１０２…本体、１０３…フランジ部、１０３ａ…上部フランジ部、１０３ｂ…下部フランジ部、１０４…ケーブル、１０５…被取付部、２００…仮支持具、２１０…腕金装着部、２１１…受金具、２１２…上板、２１３…下板、２１４…側板、２１５…開口部、２１６…プレート、２１７…ネジ棒、２１８…ナット、２１９…被装着部、２２０…係止部、２２１…保持板、２２２…保持凹所、２２３…保持金具、２５０…腕金、２５１、２５２…側面、２５３…上面、２５４…下面、２６０…共用操作棒、２６１…装着部、２６２…軸部材、２６３…係止ピン、２６４…プッシュピン
【図１】
2017077062.tif 000003
【図２】
2017077062.tif 000004
【図３】
2017077062.tif 000005
【図４】
2017077062.tif 000006
【図５】
2017077062.tif 000007
【図６】
2017077062.tif 000008
【図７】
2017077062.tif 000009